(57)【要約】【課題】  本発明は、複数個の受光部によって広い範囲から赤外光を受光できるようにした場合にも、外乱光による誤動作を防止することができる電子機器を提供することを課題とする。【解決手段】  リモート信号受信部１９は、正面受光部４１、上面受光部４２および下面受光部４３の内の動作状態の受光部への外乱光の入射を監視し、動作状態の受光部に外乱光が入射されたと判断した場合には、外乱光が入射された受光部を所定時間非動作状態とすると共に、外乱光が入射されたと判断された受光部から直前に有効なリモート信号が入力されたか否かを判断し、直前に有効なリモート信号が入力されていた場合には、直前の有効なリモート信号に基づく操作の取り消しを中央制御部１１に指示する。【選択図】        図２
2006013975.tif 000002
【特許請求の範囲】
【請求項１】
リモートコントロール装置からの赤外光によって遠隔操作される電子機器であって、
前記リモートコントロール装置からの赤外光を受光する複数個の受光手段と、
該受光手段のいずれかに外乱光が入射された場合には、外乱光が入射された前記受光手段を非動作状態にするリモート信号受信手段とを具備することを特徴とする電子機器。
【請求項２】
どのような姿勢で設置されているかを検出し、検出結果を姿勢情報として出力する傾斜センサを具備し、
前記リモート信号受信手段は、前記傾斜センサからの姿勢情報に基づいて、前記受光手段のそれぞれの動作もしくは非動作を制御することを特徴とする請求項１記載の電子機器。
【請求項３】
前記リモート信号受信手段は、前記受光手段に外乱光が入射された場合には、外乱光が入射された前記受光手段から直前に有効なリモート信号が入力されたか否かを判断し、直前に有効なリモート信号が入力されていた場合には、直前の有効なリモート信号に基づく操作の取り消しを行わせることを特徴とする請求項１又は２記載の電子機器。
【発明の詳細な説明】
【技術分野】
【０００１】
本発明は、リモートコントロール装置（以下、リモコンと称す）からの赤外光によって遠隔操作される電子機器に関し、特にリモコンからの赤外光を受光する受光部を複数個有する電子機器に関する。
【背景技術】
【０００２】
従来、リモコンからの赤外光によって遠隔操作される電子機器において、ユーザによるリモコン操作の使用範囲を広げるために、複数個の受光部を筐体の異なる面に配置し、複数個の受光部によって広い範囲から赤外光を受光できるようにしたものが提案されている（例えば、特許文献１参照）。
【０００３】
しかしながら、受光部が受光の対象とする赤外光は、太陽光やインバータ回路が内蔵された電灯等の機器から発せられるノイズ（以下、外乱光と称す）にも含まれており、従来技術のように、複数個の受光部によって広い範囲から赤外光を受光できるようにした場合には、複数個の受光部のいずれかに外乱光が入射される確率が高まってしまい、複数個の受光部のいずれかに入射された外乱光によって誤動作してしまうという問題点があった。
【特許文献１】特開平１１−５５７６８号公報
【発明の開示】
【発明が解決しようとする課題】
【０００４】
本発明は斯かる問題点を鑑みてなされたものであり、その目的とするところは、複数個の受光部によって広い範囲から赤外光を受光できるようにした場合にも、外乱光による誤動作を防止することができる電子機器を提供する点にある。
【課題を解決するための手段】
【０００５】
本発明は上記課題を解決すべく、以下に掲げる構成とした。
本発明の電子機器は、リモートコントロール装置からの赤外光によって遠隔操作される電子機器であって、前記リモートコントロール装置からの赤外光を受光する複数個の受光手段と、該受光手段のいずれかに外乱光が入射された場合には、外乱光が入射された前記受光手段を所定時間、非動作状態にするリモート信号受信手段とを具備することを特徴とする。
【０００６】
さらに、本発明の電子機器は、どのような姿勢で設置されているかを検出し、検出結果を姿勢情報として出力する傾斜センサを具備し、前記リモート信号受信手段は、前記傾斜センサからの姿勢情報に基づいて、前記受光手段のそれぞれの動作もしくは非動作を制御することを特徴とする。
【０００７】
さらに、本発明の電子機器は、前記リモート信号受信手段は、前記受光手段に外乱光が入射された場合には、外乱光が入射された前記受光手段から直前に有効なリモート信号が入力されたか否かを判断し、直前に有効なリモート信号が入力されていた場合には、直前の有効なリモート信号に基づく操作の取り消しを行わせることを特徴とする。
【発明の効果】
【０００８】
本発明の電子機器は、受光手段のいずれかに外乱光が入射された場合には、外乱光が入射された受光手段を所定時間、非動作状態にするように構成することにより、複数個の受光手段によって広い範囲から赤外光を受光できるようにした場合にも、外乱光が入射される受光手段からのリモート信号によって操作が行われることがないため、外乱光による誤動作を防止することができという効果を奏する。
【０００９】
さらに、本発明の電子機器は、受光手段に外乱光が入射された場合には、外乱光が入射された受光手段から直前に有効なリモート信号が入力されたか否かを判断し、直前に有効なリモート信号が入力されていた場合には、直前の有効なリモート信号に基づく操作の取り消すように構成することにより、外乱光による誤動作をキャンセルすることができ、ユーザが不在時に外乱光によって電源がＯＮされた場合にも、自動的に電源をＯＦＦすることが可能になるという効果を奏する。
【発明を実施するための最良の形態】
【００１０】
以下、本発明の実施の形態を図面に基づいて詳細に説明する。
【００１１】
図１は、本発明に係る電子機器の実施の形態の構成を示す外観斜視図であり、図２は、本発明に係る電子機器の実施の形態の構成を示すブロック図であり、図３は、図１に示す電子機器の他の設置例を示す説明図であり、図４は、図２に示す動作情報記憶部に記憶されている動作情報例を示す図である。
【００１２】
本実施の形態の電子機器１は、ハードディスク、ＤＶＤ等の記録媒体に記憶されている映像情報および音響情報を再生する情報再生装置であり、液晶テレビ等の表示および音声出力手段であるディスプレイ装置に接続されて用いられ、ディスプレイ装置にビデオ信号とオーディオ信号とを供給する。
【００１３】
電子機器１の前面部には、図１を参照すると、ハードディスク、ＤＶＤ等の記録媒体であるディスク状記録媒体５を装置内に挿入するための挿入口３と、リモコン６からの赤外光（リモート信号）が入射される正面受光部４１とが設けられている。また、電子機器１の上面部には、上面受光部４２が、下面部には、下面受光部４３がそれぞれ設けられており、リモコン６から正面受光部４１、上面受光部４２もしくは下面受光部４３に入射された赤外光は、リモート信号としてリモート信号受信部１９に入力され、リモコン６によって無線で電子機器１の動作を制御できるように構成されている。
【００１４】
電子機器１は、図２を参照すると、装置全体を制御する中央制御部１１と、信号処理部１２と、サーボ制御部１３と、ビデオデコーダ１４と、オーディオデコーダ１５と、ＯＳＤ制御部１６と、ＯＳＤ画面記憶部１７と、電子機器１の姿勢を検出するための傾斜センサ１８と、リモート信号受信部１９と、動作情報記憶部２０とからなり、傾斜センサ２と、正面受光部４１、上面受光部４２および下面受光部４３とが中央制御部１１に接続されている。
【００１５】
信号処理部１２は、中央制御部１１の制御下にあり、ディスク状記録媒体５に記録された映像情報および音響情報を読み出して、復調処理、符号誤り訂正処理およびＤ／Ａ変換処理を行ってビデオ信号成分とオーディオ信号成分とからなる再生信号を生成し、生成した再生信号をビデオデコーダ１４およびオーディオデコーダ１５に出力する。
【００１６】
サーボ制御部１３は、中央制御部１１の制御下にあり、ディスク状記録媒体５に記録された映像情報および音響情報を読み出すために必要なディスク回転制御と光ピックアップのトラッキングおよびフォーカシング制御を行う。
【００１７】
ビデオデコーダ１４は、信号処理部１２から出力される再生信号の中から画像となるビデオ信号を分離して生成し、ビデオデコーダ１４によって生成されたビデオ信号は、ディスプレイ装置に出力される。
【００１８】
オーディオデコーダ１５は、信号処理部１２から出力される再生信号の中からオーディオ信号を分離して生成し、オーディオデコーダ１５によって生成されたオーディオ信号は、ディスプレイ装置に出力される。
【００１９】
ＯＳＤ制御部１６は、中央制御部１１からの指示に基づいて、直前に行われた操作を取り消すことを通知する操作取り消しメッセージ画面および各種設定値を設定するためのＯＳＤ画面を生成し、ＯＳＤ制御部１６によって生成された案内画面およびＯＳＤ画面は、ビデオデコーダ１４から出力されるビデオ信号に重畳されてディスプレイ装置に出力される。
【００２０】
ＯＳＤ画面記憶部１７は、操作取り消しメッセージ画面およびＯＳＤ画面を生成するためのデータが記憶されているデータ記憶手段である。
【００２１】
傾斜センサ１８は、例えば、封入された液体の傾斜に伴う静電容量の変化としてとらえる液封入容量式の傾斜センサであり、図１に示す（以下、横置きと称す）と、図３（ａ）に示す（以下、縦置きと称す）と、図３（ｂ）に示す（以下、平置きと称す）とのいずれの姿勢で電子機器１が設置されているのかを検出し、検出結果を姿勢情報としてリモート信号受信部１９に出力する。
【００２２】
リモート信号受信部１９は、傾斜センサ１８からの姿勢情報に基づいて動作情報記憶部２０に記憶されている動作情報を参照することによって、正面受光部４１、上面受光部４２および下面受光部４３の内の動作情報が「ＯＮ」である受光部を動作状態とする共に、動作情報が「ＯＦＦ」である受光部を非動作状態とする。なお、非動作状態としては、受光部自体の受光動作を停止するようにしても良く、リモート信号受信部１９が受光部からのリモート信号を受け付けないようにしても良い。
【００２３】
また、リモート信号受信部１９は、動作状態の受光部に外乱光が入射されたと判断した場合には、外乱光が入射された受光部を所定時間非動作状態とすると共に、外乱光が入射されたと判断された受光部から直前に有効なリモート信号が入力されたか否かを判断し、直前に有効なリモート信号が入力されていた場合には、当該リモート信号に基づく操作の取り消しを中央制御部１１に指示する。なお、受光部への外乱光の入射は、信号レベルが所定時間以上Ｈｉ状態となった場合や、リモート信号として無効な赤外光が継続して入射された場合に、外乱光の入射として判断される。
【００２４】
動作情報記憶部２０は、予め定められている動作情報を記憶する記憶手段である。動作情報は、図４に示すように、傾斜センサ１８によって検出される姿勢（横置き、縦置き、平置き）毎に正面受光部４１、上面受光部４２および下面受光部４３のそれぞれの「ＯＮ」、「ＯＦＦ」が定められている。
【００２５】
次に、本実施の形態の動作について図５を参照して詳細に説明する。
図５は、図１に示す電子機器の動作を説明するためのフローチャートである。
【００２６】
電子機器１に電源が供給されると、傾斜センサ１８は、電子機器１の姿勢を検出し（ステップＡ１）、検出結果を姿勢情報としてリモート信号受信部１９に出力する。リモート信号受信部１９は、傾斜センサ１８から姿勢情報が入力されると、入力された姿勢情報に基づいて動作情報記憶部２０に記憶されている動作情報を参照することによって（ステップＡ２）、正面受光部４１、上面受光部４２および下面受光部４３の内の動作情報が「ＯＮ」である受光部を動作状態にする共に、動作情報が「ＯＦＦ」である受光部を非動作状態にする（ステップＡ３）。
【００２７】
次に、リモート信号受信部１９は、動作状態の受光部への外乱光の入射を監視し（ステップＡ４）、動作状態の受光部に外乱光が入射されたと判断した場合には、外乱光が入射された受光部を所定時間非動作状態とすると共に（ステップＡ５）、外乱光が入射されたと判断された受光部から直前に有効なリモート信号が入力されたか否かを判断し（ステップＡ６）、直前に有効なリモート信号が入力されていない場合には、ステップＡ４に戻る。なお、外乱光が入射された受光部を非動作状態にする時間は、予め定めておいても良く、また、ユーザが設定できるようにしても良い。さらに、外乱光が入射された受光部を非動作状態した後、ユーザによって解除されるまで非動作状態を維持するようにしても良い。
【００２８】
ステップＡ６で、直前に有効なリモート信号が入力されていた場合には、リモート信号受信部１９は、中央制御部１１に操作取り消しメッセージ画面の出力を指示し、中央制御部１１の制御によってＯＳＤ制御部１６が直前に行われた操作を取り消すことを通知する操作取り消しメッセージ画面を生成し、ＯＳＤ制御部１６によって生成された操作取り消しメッセージ画面は、ビデオデコーダ１４から出力されるビデオ信号に重畳されてディスプレイ装置に出力される（ステップＡ７）。
【００２９】
次に、リモート信号受信部１９は、操作取り消しメッセージ画面の出力を中央制御部１１に指示した後、所定時間の間に動作状態の受光部からリモート信号の入力が行われたか否かを判断し（ステップＡ８）、リモート信号の入力が行われた場合には、ユーザが外乱光による誤動作を修正したものとしてステップＡ４に戻る。
【００３０】
ステップＡ８でリモート信号の入力が行われなかった場合には、直前の有効なリモート信号に基づく操作の取り消しを中央制御部１１に指示し（ステップＡ９）、ステップＡ４に戻る。これにより、例えば、ユーザが不在時に外乱光によって電源がＯＮされた場合にも、自動的に電源をＯＦＦすることが可能になる。
【００３１】
以上説明したように、本実施の形態によれば、正面受光部４１、上面受光部４２もしくは下面受光部４３のいずれかに外乱光が入射された場合には、外乱光が入射された受光部を所定時間、非動作状態にするように構成することにより、複数個の受光部によって広い範囲から赤外光を受光できるようにした場合にも、外乱光が入射される受光部からのリモート信号によって操作が行われることがないため、外乱光による誤動作を防止することができという効果を奏する。
【００３２】
さらに、本実施の形態によれば、正面受光部４１、上面受光部４２もしくは下面受光部４３のいずれかに外乱光が入射された場合には、外乱光が入射された受光部から直前に有効なリモート信号が入力されたか否かを判断し、直前に有効なリモート信号が入力されていた場合には、直前の有効なリモート信号に基づく操作の取り消すように構成することにより、外乱光による誤動作をキャンセルすることができ、ユーザが不在時に外乱光によって電源がＯＮされた場合にも、自動的に電源をＯＦＦすることが可能になるという効果を奏する。
【００３３】
なお、リモート信号受信部１９は、動作状態にある複数の受光部にリモート信号としてそれぞれ有効かつ異なる赤外光が、ほとんど同時に継続して入射された場合には、図４に示す動作情報例に従いつつ、予めリモート信号受信部１９に設定された、最も優先する受光部からの信号を受け付けるか、ユーザによって設定された最も優先する受光部からの有効なリモート信号を受け付けて中央制御部１１に指示することによって、動作状態にある複数の受光部に、それぞれ異なった有効な信号が入力されても、ユーザの意図しない動作を防止することも可能となる。
【００３４】
なお、本実施の形態では、正面受光部４１、上面受光部４２および下面受光部４３を異なる面である正面、上面および下面にそれぞれ１個ずつ配置するように構成したが、同一の面、例えば正面に複数個の受光部を配置するようにしても良い。
【００３５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３６】
【図１】本発明に係る電子機器の実施の形態の構成を示す外観斜視図である。
【図２】本発明に係る電子機器の実施の形態の構成を示すブロック図である。
【図３】図１に示す電子機器の他の設置例を示す説明図である。
【図４】図２に示す動作情報記憶部に記憶されている動作情報例を示す図である。
【図５】図１に示す電子機器の動作を説明するためのフローチャートである。
【符号の説明】
【００３７】
１  電子機器
２  傾斜センサ
３  挿入口
５  ディスク状記録媒体
６  リモコン
１１  中央制御部
１２  信号処理部
１３  サーボ制御部
１４  ビデオデコーダ
１５  オーディオデコーダ
１６  ＯＳＤ制御部
１７  ＯＳＤ画面記憶部
１８  傾斜センサ
１９  リモート信号受信部（リモート信号受信手段）
２０  動作情報記憶部
４１  正面受光部（受光手段）
４２  上面受光部（受光手段）
４３  下面受光部（受光手段）
【図１】
2006013975.tif 000003
【図２】
2006013975.tif 000004
【図３】
2006013975.tif 000005
【図４】
2006013975.tif 000006
【図５】
2006013975.tif 000007